(57)【要約】      （修正有）【課題】従来の紙おむつを汚れる部位によって前後二つの部分に分け、前部と後部を別々に取替え可能にしたおむつセットを提供する。【解決手段】前述の汚れる部位が異なることに着目し、その部位に適した前用・後ろ用のおむつを別々に作り、別々に取替え可能とする。また、従来の紙おむつは１枚でおむつとおむつカバーの役割を担うため、お尻全体を包むように作られていたから、包む機能の部分（紙の量とともにその部分の製造コスト）まで捨てなければならない。しかし、おむつカバーとの併用で、おむつのお尻を包む機能は不要となり、おむつは汚れる部位に適する小さなものでよい。つまり、構造が非常に簡単になり、小さなものになるので、使い捨て部分が非常に少なくなり、製造コストも低くなる。【選択図】図３
0003160290.tif 000002
【実用新案登録請求の範囲】
【請求項１】
通常１枚分の紙おむつを前後に２分割する（分割したおむつを別々に取替え可能にするため）。
【請求項２】
（紙おむつをおむつカバーに固定するために）紙おむつの外側に接着テープを付ける。
【請求項３】
（紙おむつにある湿った時の「お知らせサイン」をおむつカバーの外から確認できるように）おむつカバーの中央部分に透明な生地を用いた窓を作る。
【考案の詳細な説明】
【技術分野】
【０００１】本考案は、繰り返し使用可能なおむつカバーを使用し、さらに、従来の紙おむつを汚れる部位によって前後二つの部分に分け、前部と後部を別々に取替え可能にする。このおむつカバーと部位別取替え可能おむつをセットにして使用することにより、使い捨て紙おむつの消費量を大幅に減少させる。
【背景技術】
【０００２】おむつカバーと紙おむつを製造する既存の技術や素材はそのまま使用できるはずである。つまり、おむつカバーはおむつを包んで固定し、漏れを防ぐ技術、紙おむつは漏れを防ぐ技術と漏れを知らせる技術、等である
【考案の概要】
【考案が解決しようとする課題】
【０００３】従来の紙おむつは、大便と小便、男児と女児で汚れる箇所が異なり、１枚全部が汚れるのは稀である。
しかし、その汚れが異なる箇所のどこか１箇所が汚れただけであっても、１枚全部を使い捨てなければならず、極めて不合理かつ不経済であった。この点を解決するのが課題である。
【課題を解決するための手段】
【０００４】・・・実用新案登録請求の範囲に記載された構成を記載する？
［０００３］［考案が解決しようとする課題］で述べた汚れる部位が異なることに着目し、紙おむつを前用と後ろ用、つまり汚れる部位に合わせた形状のものを別々に作り、汚れによって別々に取替え可能とする。
また、従来の使い捨て用の紙おむつは１枚でおむつとおむつカバーの役割を備えるため、お尻全体を包むように作られていたので、汚れていないにもかかわらず捨てなければならない部分が多い、しかし、おむつカバーと併用するこの方法では、お尻を包む機能はおむつ自体には不要となり、しかも、前後に分割した紙おむつは汚れる部位にふさわしい大きさでよく、使い捨てにする部分は非常に少なくて済むようになる。つまり、毎回の捨てる量は非常に減少する。さらに、分割した紙おむつの構造は従来の紙おむつと比べて非常に単純になるので製造も簡単になり、製造コストも相当に低く抑えられることになる。以上のことから、極めて合理的かつ経済性が格段に高まる。
【考案の効果】
【０００５】この方法を用いることにより、経済性が格段に高まり、育児費用が大幅に軽減される。と同時にゴミも格段に減少するのであるから、環境にも非常に優しい、エコ商品が誕生することになる。また、おむつカバーを使うので必ずしも常に紙おむつを使用する必要はなく、洗濯して繰り返し使用できる布おむつの使用も可能であるから、布おむつを使用する分経済性が高まり、エコに貢献できる。そして、紙おむつと布おむつの両方が使用可能ということは、家の中では布おむつ、外出時は紙おむつと使い分けが可能になることと、子どもの成長に合わせておむつの素材を選択できるようになることも本考案の効果といえよう。素材の選択について付言すれば、現在ではおむつと言えば使い捨て紙おむつが一般的であるが、高機能の紙おむつが子どもにとって非常に心地よいには違いないが、逆に排便後の不快な感覚を子どもに学習させることも必要という説があるように、不快感を学習させるには高機能を備えない従来からの布おむつが適している訳で、紙と布ではそれぞれに長所短所があり、親の育児に関する方針によっていずれも選択できるという効果も持つことになる。
【図面の簡単な説明】
【０００６】
【効果を実施するための形態】
【０００７】本考案による製品は、従来の製造技術で製造可能である。と言うよりむしろ、紙おむつは従来よりかなり簡単に製造できる。しかし、従来のものを２分割することに加えてお尻を包む形態ではないのでその分小さくなり、移動しやすくなる。それを防ぐためにちょうど生理用ナプキンと同じように、おむつの外側におむつカバーに固定できるように接着テープをつける。そして、従来の紙おむつには湿ったときに色が変わる「お知らせサイン」の機能が付いているが当然、便利なその機能を付ける。また、同様に、使用後におむつを丸めて捨てやすくするための、従来からあるテープを付ける。なお、「お知らせサイン」が表示されてもおむつカバーが覆っているために外からはサインを見ることができないので予め、サインが表示されるあたりのおむつカバーの中央部分を透明な生地を使った窓にして、外から確認できるようにしておく。
0003160290.tif 000003
【手続補正書】
【提出日】平成22年1月12日(2010.1.12)
【手続補正１】
【補正対象書類名】実用新案登録請求の範囲
【補正対象項目名】全文
【補正方法】変更
【補正の内容】
【実用新案登録請求の範囲】
【請求項１】
同じ形状と構造を持ち別々に交換可能という特徴を有する前部用紙おむつと後部用紙おむつと、それらを同時に取付け可能なおむつカバーで構成された部位別取替え可能節約おむつセット。
【請求項２】
請求項１に記載された前部用紙おむつと後部用紙おむつはいずれも、請求項１に記載されたおむつカバーからはみ出さない大きさと形状で、外側に接着テープと「お知らせサイン」を有する構造を持つ。請求項１に記載されたおむつカバーは臀部と下腹部を覆い包み左右腰骨あたりでマジックテープを用いて装着する構造と形状で、股部中央に透明生地による前部用紙おむつと後部用おむつを同時に取付けた時の全長と同程度の縦幅を持つ長細い窓を有する。以上の形状と構造をそれぞれに持つおむつとおむつカバーで構成された部位別取替え可能節約おむつセット。
【手続補正２】
【補正対象書類名】明細書
【補正対象項目名】０００６
【補正方法】変更
【補正の内容】
【０００６】
【図１】紙おむつの外側を示した平面図である
【図２】おむつカバーを示した平面図である
【図３】おむつセットを示した平面図である
【図４】おむつセットを示した立面図である
【手続補正５】
【補正対象書類名】明細書
【補正対象項目名】０００８
【補正方法】変更
【補正の内容】
【０００８】    １．お知らせサイン  ２．おむつカバーに固定するための接着テープ  ３．使用後に丸めるためのテープ  ４．お知らせサインが見える窓  ５．おむつカバー  ６．後ろ用紙おむつ  ７．前用紙おむつ
【手続補正３】
【補正対象書類名】図面
【補正対象項目名】全図
【補正方法】変更
【補正の内容】
【図１】
0003160290.tif 000004
【図２】
0003160290.tif 000005
【図３】
0003160290.tif 000006
【図４】
0003160290.tif 000007
【手続補正書】
【提出日】平成22年4月2日(2010.4.2)
【手続補正１】
【補正対象書類名】実用新案登録請求の範囲
【補正対象項目名】全文
【補正方法】変更
【補正の内容】
【実用新案登録請求の範囲】
【請求項１】
前部用紙おむつと、当該前部用紙おむつと同じ形状を有する後部用紙おむつと、これらの紙おむつを取り付け可能なおむつカバーとからなる部位別取替え可能節約おむつセット。
【請求項２】
前部用紙おむつ及び後部用紙おむつはおむつカバーに取り付けるための接着テープを有し、おむつカバーは中央部分には透明な生地を用いた窓が設けられることを特徴とする請求項１に記載の部位別取替え可能節約おむつセット。